(57)【要約】【課題】可動鏡枠ユニットから延出するフレキシブルプリント基板（ＦＰＣ）への負荷を抑え耐衝撃性を向上させたデジタルカメラを提供する。【解決手段】被写体光を第１光軸Ｏ１に直交する第２光軸Ｏ２方向へ反射させ第２光軸の延長線上の撮像素子面に光学像を結像させる折曲げ光学系を有し扁平形状の光学筐体４と、光学筐体を第２光軸方向にのみ移動可能に収納する収納部２ｘと光学筐体を支持する支持部２ｆ…とを有するカメラ本体と、光学筐体の一表面に一端が固設され他端に接続端子部を有し第２光軸に直交方向に延出するＦＰＣ６ｂと、接続端子部が接続されるコネクタ８ｂを実装する電気基板８と、光学筐体と電気基板との間に配置される円筒形状部を有する電装部品７と備え、ＦＰＣは光学筐体の一表面から延出しその一側面に沿って配置され電装部品の外表面に沿って配置され電気基板側に向けて配置され接続端子部がコネクタに挿入嵌合するよう構成した。【選択図】図１
2009210729.tif 000002
【特許請求の範囲】
【請求項１】
第１の光軸に沿って入射する被写体光を、この第１の光軸に対して直交する第２の光軸に沿う方向へと反射させ、この第２の光軸の延長線上に配置される撮像素子の受光面上に光学像を結像させるように構成される折り曲げ光学系を有し、全体として扁平な形状に形成される光学筐体と、
上記光学筐体を第２の光軸に沿う方向にのみ移動可能に収納する収納部と、この収納部内に収納される上記光学筐体を支持する支持部とを有するカメラ本体と、
上記光学筐体の一方の表面上に一端部が固設され、他端に接続端子部を有し、上記折り曲げ光学系の第２の光軸に対して直交する方向に延出するフレキシブルプリント基板と、
上記フレキシブルプリント基板の上記接続端子部が接続固定されるコネクタを実装する電気基板と、
上記光学筐体と上記電気基板との間の空間に配置され、円筒形状部を有する電装部品と、
を具備し、
上記フレキシブルプリント基板は、上記光学筐体の一方の表面から延出され、上記光学筐体の一側面に沿って配置された後、上記電装部品の円筒形状部の外表面に沿って配置され、その後は、上記電気基板の側に向けて最短距離で配置され、上記接続端子部が上記コネクタに挿入嵌合するように構成したことを特徴とするデジタルカメラ。
【請求項２】
上記フレキシブルプリント基板は、上記光学筐体の移動方向に対して略直交する方向に延出することを特徴とする請求項１に記載のデジタルカメラ。
【請求項３】
上記光学筐体と上記電装部品と上記電気基板とは、上記光学筐体からのフレキシブルプリント基板の延出する方向に沿って並べて配置されていることを特徴とする請求項１に記載のデジタルカメラ。
【請求項４】
上記フレキシブルプリント基板は、上記光学筐体が第２の光軸に沿う方向に移動したときにも、上記フレキシブルプリント基板の少なくとも四分の一以上の領域が上記電装部品の円筒形状部の外周面に沿うように配置されることを特徴とする請求項１に記載のデジタルカメラ。
【請求項５】
上記電気基板は、上記光学筐体の上記フレキシブルプリント基板の一端部が固設されている一方の面とは反対側の面に平行となるように配設されていることを特徴とする請求項１に記載のデジタルカメラ。
【請求項６】
上記円筒形状部を有する電装部品は、閃光発光用のメインコンデンサであることを特徴とする請求項１に記載のデジタルカメラ。
【請求項７】
上記フレキシブルプリント基板は、上記光学筐体から延出する方向と同方向に形成されるスリット部を有することを特徴とする請求項１に記載のデジタルカメラ。
【請求項８】
上記電装部品は、円筒形状部の外周面上に配置される上記フレキシブル電気基板を位置規制するガイド溝を有することを特徴とする請求項１に記載のデジタルカメラ。
【発明の詳細な説明】
【技術分野】
【０００１】
この発明は、デジタルカメラ、詳しくは耐衝撃性を考慮して筐体内で可動構成とした鏡枠ユニットを有するデジタルカメラにおける内部構成部材の配置に関するものである。
【背景技術】
【０００２】
従来のデジタルカメラは、使用時や携帯時等に外部から意図しない衝撃力が加わることを考慮して、内部構成部材の耐衝撃性を確保するための様々な工夫がなされており、そのための提案が種々行われている。
【０００３】
例えば、従来のデジタルカメラの筐体内部において、撮像素子等を含む撮像ユニットと光学レンズやその駆動機構等を含んで構成される鏡枠ユニットを所定の範囲内で所定の方向にのみ可動となるように配置すると共に、この鏡枠ユニットと筐体側の固定部との間にダンパー部材を設けて構成したものがある。これによれば、デジタルカメラに対して外力が加わったときには、このダンパー部材が筐体内部の可動ユニットに伝わる衝撃力を吸収することで、耐衝撃性を確保することができるというものである。
【０００４】
一方、通常のデジタルカメラ等の電子機器では、内部に設けられる複数の構成部材のうち離間した場所に配置される構成部材同士の間の電気的な接続を確保するために、例えば可撓性を有する柔軟な素材を平面状に形成したフレキシブルプリント基板を用いることは周知であり、例えば特開２００２−１８５５８７号公報等によって、従来、種々の提案がなされまた実用化されている。
【０００５】
上記特開２００２−１８５５８７号公報によって開示されている電子機器は、離間した場所に配置される構成部材間の電気的な接続を確保するためのフレキシブルプリント基板を、機器内部の各構成部材の表面形状に沿わせて、階段状に折り曲げて配置している。
【０００６】
このような構成とすることで、電子機器の内部構成部材に対してフレキシブルプリント基板が構造上の妨げになるようなこともなく、各構成部材間の狭い空間を利用して、互いに離間した位置に配置される構成部材同士の間を、できるだけ短い距離で電気的に接続することができるという効果を得ている。
【０００７】
従来のデジタルカメラにおいても、上記公報に記載の電子機器と同様に、各構成部材に搭載される電気部品や電気基板同士の間をフレキシブルプリント基板を用いて電気的に接続するように構成したものが一般に実用化されている。
【特許文献１】特開２００２−１８５５８７号公報
【発明の開示】
【発明が解決しようとする課題】
【０００８】
ところが、従来のデジタルカメラのうち内部に可動ユニットを有する上述したような形態のデジタルカメラにおいて、可動ユニットから延出されるフレキシブルプリント基板の他端接続部が筐体内部に固定される他の構成部材、例えば電気基板上のコネクタ等に接続固定されるような構成の場合には、次のような問題点が考えられる。
【０００９】
即ち、上述したような可動ユニットを有する従来のデジタルカメラにおいては、外部からの衝撃力を受けたとき、この可動ユニットが筐体内で所定の方向に移動する。このとき、上記可動ユニットから延出されるフレキシブルプリント基板もまた同じ方向に移動することになる。
【００１０】
フレキシブルプリント基板が可動ユニットと共に所定の方向に移動した場合、同フレキシブルプリント基板の筐体内における配置状態によっては、このフレキシブルプリント基板の曲折部等に対して衝撃力が加わって、同フレキシブルプリント基板に捻じれが生じてしまう場合がある。すると、このような場合には、上記フレキシブルプリント基板の他端接続部が引っ張られて電気基板側のコネクタから抜去されたり、フレキシブルプリント基板自体に不要な負荷がかかることにより部分的に切断してしまう等の可能性がある。
【００１１】
そこで、上述のような可動ユニットを有する形態のデジタルカメラにおいては、可動ユニットの移動に伴ってフレキシブルプリント基板が共に移動して捻じれが生じることを予め考慮に入れて、上記デジタルカメラの筐体内であって、フレキシブルプリント基板が配置される周囲の空間に、このフレキシブルプリント基板の移動を許容する余裕空間を確保するといった対策が考えられる。また、フレキシブルプリント基板の捻じれが生じないように、予めフレキシブルプリント基板を弛ませた形態で配設するといった対策も考えられる。
【００１２】
しかしながら、これらの対策では、筐体内部に配設される構成部材の周りに配置されるフレキシブルプリント基板の周囲に所定の余裕空間を確保しておく必要がある。その結果、筐体は大型化してしまい、よってデジタルカメラの小型化設計を阻害する要因になるという問題点がある。
【００１３】
本発明は、上述した点に鑑みてなされたものであって、その目的とするところは、耐衝撃性を考慮して筐体内で可動構成とした鏡枠ユニットを有するデジタルカメラにおいて、可動ユニットと、この可動ユニットから延出されるフレキシブルプリント基板と、他の内部構成部材等のそれぞれの配置を工夫して、デジタルカメラに外力が加わったとしても、鏡枠ユニットと共に移動可能なフレキシブルプリント基板に対して伝わる衝撃力を吸収することができ、よってこのフレキシブルプリント基板に対して不要な負荷がかからないように構成したデジタルカメラを提供することである。
【課題を解決するための手段】
【００１４】
上記目的を達成するために、本発明によるデジタルカメラは、第１の光軸に沿って入射する被写体光を、この第１の光軸に対して直交する第２の光軸に沿う方向へと反射させ、この第２の光軸の延長線上に配置される撮像素子の受光面上に光学像を結像させるように構成される折り曲げ光学系を有し、全体として扁平な形状に形成される光学筐体と、上記光学筐体を第２の光軸に沿う方向にのみ移動可能に収納する収納部と、この収納部内に収納される上記光学筐体を支持する支持部とを有するカメラ本体と、上記光学筐体の一方の表面上に一端部が固設され、他端に接続端子部を有し、上記折り曲げ光学系の第２の光軸に対して直交する方向に延出するフレキシブルプリント基板と、上記フレキシブルプリント基板の上記接続端子部が接続固定されるコネクタを実装する電気基板と、上記光学筐体と上記電気基板との間の空間に配置され、円筒形状部を有する電装部品と、を具備し、上記フレキシブルプリント基板は、上記光学筐体の一方の表面から延出され、上記光学筐体の一側面に沿って配置された後、上記電装部品の円筒形状部の外表面に沿って配置され、その後は、上記電気基板の側に向けて最短距離で配置され、上記接続端子部が上記コネクタに挿入嵌合するように構成したことを特徴とする。
【発明の効果】
【００１５】
本発明によれば、耐衝撃性を考慮して筐体内で可動構成とした鏡枠ユニットを有するデジタルカメラにおいて、可動ユニットと、この可動ユニットから延出されるフレキシブルプリント基板と、他の内部構成部材等のそれぞれの配置を工夫して、デジタルカメラに外力が加わったとしても、鏡枠ユニットと共に移動可能なフレキシブルプリント基板に対して伝わる衝撃力を吸収することができ、よってこのフレキシブルプリント基板に対して不要な負荷がかからないように構成したデジタルカメラを提供することができる。
【発明を実施するための最良の形態】
【００１６】
以下、図示の実施の形態によって本発明を説明する。
【００１７】
図１〜図５は、本発明の一実施形態を示す図である。このうち図１は、本実施形態のデジタルカメラの正面側の外観を示す斜視図である。図２は、本実施形態のデジタルカメラの背面図である。なお、この図２は、デジタルカメラの背面側の一部を破いて内部に設けられる可動ユニット（光学筐体）等の配置を併せて示している。図３，図４は、本実施形態のデジタルカメラの内部構成部材の配置を示す図である。このうち図３は、本実施形態のデジタルカメラの背面カバーを取り去った状態の背面図のうちの一部を拡大して示す要部拡大背面図である。また、図４は、図３の［４］−［４］線に沿う断面を示す要部拡大断面図である。なお、図３，図４は、本実施形態のデジタルカメラの内部構成部材のうち特に可動ユニット（光学筐体）と、この可動ユニット（光学筐体）から延出されるフレキシブルプリント基板と、このフレキシブルプリント基板が接続される接続コネクタを備えた構成部材（メイン基板）と、可動ユニット（光学筐体）とメイン基板との間に配置される他の構成部材（メインコンデンサ）とのそれぞれの配置を主に示している。図５は、本実施形態のデジタルカメラにおける可動ユニット（光学筐体）から延出される二つのフレキシブルプリント基板のうちの一方を取り出して示す斜視図である。
【００１８】
本実施形態のデジタルカメラ（以下、カメラと略記する）１は、略直方体の箱型形状からなるカメラ本体と、このカメラ本体の内部に組み付けられる光学筐体４等の各種の構成ユニット及び各種の電気回路等を実装した電気基板等の内部構成部材と、カメラ本体の表面上に配設される各種の操作部材等によって主に構成されている。
【００１９】
本実施形態のカメラ１のカメラ本体は、主に前面，両側面，上面，底面を覆うように形成される前面カバー部材２と、主に背面側を覆うように形成される背面カバー部材３とを組み合わせた形態で箱形状に構成されている。そして、このカメラ本体内部の所定の部位には光学筐体４が所定の方向にのみ移動可能に配置されている。
【００２０】
背面カバー部材３には、図２に示すように、例えばズーム用のＴボタン及びＷボタン，動作モード設定ボタン，撮影及び再生動作切換ボタン，メニュー表示操作ボタン，撮影領域切換ボタン（マクロボタン），ストロボモード切換ボタン，セルフタイマーボタン，露出補正切換ボタン等、撮影及び再生時に実行すべき各種の操作入力を行う際に用いられる複数の操作部材１３と、表示装置の表示部１６が設けられている。そして、背面カバー部材３の背面側の略中央部には、表示部１６の表示が外部に向けて露出させるための開口である表示窓１６ａが設けられている。
【００２１】
前面カバー部材２の上面側にはシャッターボタン１４，電源操作ボタン１５等の操作部材が配設されている。
【００２２】
この前面カバー部材２には、カメラ本体内部に設けられる光学筐体４（図１では図示せず）に対して被写体側からの光束を入射させるための撮影用窓２ｄや閃光発光装置の発光用窓２ｅ等の開口が設けられている。
【００２３】
そして、本カメラ１は、前面カバー部材２と背面カバー部材３とを組み合わせた状態で、両者の四隅の部位をネジ等の連結部材を用いて互いに固設することで箱形状のカメラ本体が形成されている。
【００２４】
このように形成されるカメラ本体の内部空間には、光学筐体４や表示装置等の複数の内部構成ユニットや、各種の電気回路を形成する複数の回路基板及び電気部材等、例えばメイン基板８や閃光発光用のメインコンデンサ７等は、図２，図３に示すように各所定の部位に配設されている。
【００２５】
光学筐体４は、全体として扁平な形状をしており、前面カバー部材２の撮影用窓２ｄ（図１参照）から第１の光軸Ｏ１に沿って入射してきた被写体からの光束を、反射プリズム等（特に図示せず）によって第１の光軸Ｏ１に対して直交する方向へと折り曲げて、折り曲げられた後の第２の光軸Ｏ２上であって光学筐体４の底面側に配設されている撮像素子５の側へと導き、その受光面上に光学的な被写体像を結像させる折り曲げ光学系を構成する複数の光学レンズやこれらの光学レンズをそれぞれ保持するレンズ保持枠等を含んで構成されるレンズ鏡枠ユニットと、上記撮像素子５とこの撮像素子５等の電気部品を実装した電気基板５ａ等からなる撮像ユニット等によって主に構成されている。
【００２６】
また、この光学筐体４は、特に詳細な図示は省略しているが、例えばシャッタユニット，このシャッタユニットを駆動するシャッタ駆動モータ，上記複数のレンズ保持枠を第２の光軸Ｏ２に沿う方向に移動させる駆動源であるフォーカシングモータやズーミングモータ９（図２，図３参照）等と、これらの駆動源からの駆動力を伝達するギヤー等の駆動力伝達部材及び上記複数のレンズ保持枠の移動をガイドし支持するガイド軸等を含むレンズ駆動機構等を有して構成されている。
【００２７】
そして、この光学筐体４は、これらの構成部材からなるレンズ鏡枠ユニット及び撮像ユニットとが一体となって光軸Ｏ２に沿う方向に移動自在に構成される可動ユニットとなっている。
【００２８】
上述したように、光学筐体４は、撮像ユニットのほか駆動源であるモータ等の電気的な部品と、これらの電気部品を動作させ制御するための回路基板を有して構成されている。
【００２９】
したがって、光学筐体４のこれらの回路基板からは、本カメラ本体内部に配設されるメイン基板８上に実装される制御回路（特に図示せず）からの制御信号を受けたり、電源回路（特に図示せず）からの電力供給等を受けるための配線であって、可撓性を有する柔軟な素材を平面状に形成したフレキシブルプリント基板（ＦＰＣ）６ａ，６ｂが延出している。このフレキシブルプリント基板６ａ，６ｂは、本実施形態のカメラ１においては、図２，図３に示すように、第２の光軸Ｏ２に対して直交する方向に延出している。
【００３０】
ここで、図５は、フレキシブルプリント基板６ａ，６ｂのうち一方のフレキシブルプリント基板６ｂを取り出して、その形状の概略を示す外観斜視図である。
【００３１】
図５に示すように、本実施形態のカメラ１におけるフレキシブルプリント基板６ｂは、例えば光学筐体４の前面側に固設される前面固定部６ｂｂと、光学筐体４の底面側に固設される底面固定部６ｂｄと、メイン基板８に設けられる接続コネクタ８ｂに挿入され嵌合する先端端子部６ｂａと、前面固定部６ｂｂに連設され先端端子部６ｂａとの間を接続する連設部６ｂｃとによって形成されている。
【００３２】
なお、上記図５は、本発明が適用されるカメラ１におけるフレキシブルプリント基板６ｂの形状についての一つの例示である。したがって、光学筐体４から延出されるフレキシブルプリント基板の形状として、この図５に示す形状に限られるものではない。
【００３３】
また、もう一方のフレキシブルプリント基板６ａについては、図２，図３等に示すように、フレキシブルプリント基板６ｂとは、その形状は異なるものであるが、光学筐体４の前面側の固定される前面固定部（図５の符号６ｂｂに相当する部位）と、メイン基板８の接続コネクタ８ａに挿入され嵌合する先端端子部（図５の符号６ｂａに相当する部位）と、前面固定部と先端端子部との間を連設する連設部（符号６ｂｃに相当する部位）とを有している点で同様であるものとする。
【００３４】
光学筐体４は、本実施形態のカメラ１においては、カメラ本体の内部において、例えば図２に示すように、一方の側面に寄った所定の部位に配設されているものとしている。
【００３５】
なお、光学筐体４のカメラ本体内部における配置については、本実施形態の例に限ることはなく、例えばカメラ本体内部の略中央部分に配設するようにしてもよいのはもちろんである。
【００３６】
また、光学筐体４を構成するその他の構成部材の詳細構成や、それらの配置については、本発明とは直接関連しない部分であるので、その詳細説明は省略し、一般的な折り曲げ光学系を有する光学筐体を備えたカメラの構成に準ずるものとする。
【００３７】
カメラ１の前面カバー部材２の内面には、図３に示すように光学筐体４をその第２の光軸Ｏ２に沿う方向にのみ移動自在に収納する収納部２ｘが形成されている。なお、収納部２ｘは、図３において斜線で示される枠内の部位がほぼ相当する。
【００３８】
収納部２ｘは、カメラ１の前面カバー部材２の内面に光学筐体４の外形形状に合わせて段差をつけて形成されており、光学筐体４の第２の光軸Ｏ２を挟んで両側に支持部２ｆ，２ｇ，２ｈ，２ｉが設けられている。
【００３９】
そして、この収納部２ｘ内に光学筐体４が配置された状態では、これらの支持部２ｆ，２ｇ，２ｈ，２ｉに対して光学筐体４の四隅の近傍部位、即ち図３に示す符号４ｆ，４ｇ，４ｈ，４ｉの部位が面接触するようになっている。
【００４０】
この構成により、光学筐体４は、その四隅の部位４ｆ，４ｇ，４ｈ，４ｉのそれぞれが収納部２ｘの支持部２ｆ，２ｇ，２ｈ，２ｉに対して面接触し、これにより、光学筐体４は、収納部２ｘ内において第２の光軸Ｏ２に沿う方向にのみ所定の範囲（図２，図３に示す符号Ａ，Ｂ参照）で移動自在に支持されている。さらに、光学筐体４は、第２の光軸Ｏ２に対して直交する方向であって図１，図３に示すＹ軸に沿う方向への移動は規制されている。
【００４１】
さらに、光学筐体４の背面側は、図示しない板状オサエ部材が設けられ、この板状オサエ部材は、前面カバー部材２の内面側の固定部に対し複数のビスによってネジ止め固定されるようになっている。これにより、光学筐体４は、前面カバー部材２の収納部２ｘ内に配置された状態において、前面カバー部材２の内面と板状オサエ部材との間の空間に挟持された形態で配設されている。そして、この状態において、光学筐体４は、第２の光軸Ｏ１に沿う方向、即ち図１に示すＺ軸に沿う方向（カメラ本体の前後方向）への移動が規制されている。
【００４２】
このように光学筐体４が本カメラ１のカメラ本体の収納部２ｘに配置された状態では、光学筐体４の外面（前面）と、これに対向する前面カバー部材２の内面の収納部２ｘとの間に、図示しない衝撃吸収部材が配置されている。この衝撃吸収部材は、例えば薄平板状に形成され、弾性を有するブチル系ゴム部材等からなるものである。そして、この衝撃吸収部材は、光学筐体４の外面（前面）とその対向面である前面カバー部材２の内面とのそれぞれに対し面接触した状態で固設されている。
【００４３】
したがって、衝撃吸収部材が組み付けられた状態の光学筐体４が前面カバー部材２の収納部２ｘに収納された状態では、光学筐体４は、収納部２ｘ内の所定の位置に位置決めされた状態で静止されている。このとき、光学筐体４は、第２の光軸Ｏ２に沿う方向（図１のＸ軸方向）への移動をも規制された状態となっている。
【００４４】
したがって、これにより、衝撃吸収部材は、例えば外部から加わった衝撃力によって本カメラ１のカメラ本体内部にて光学筐体４が相対的に第２の光軸Ｏ２に沿う方向にスライド変位したとき、カメラ本体の内面部分、即ち前面カバー部材２の収納部２ｘの内面と光学筐体４の外面部分、即ち光学筐体４の前面との間に生じる第２の光軸Ｏ２方向の剪断力によって衝撃を吸収するようになっている。
【００４５】
なお、光学筐体４が第２の光軸Ｏ２に沿う方向（Ｘ軸に沿う方向）に移動したとき、光学筐体４がカメラ本体との干渉をを避けるために、光学筐体４の移動方向の両端部とカメラ本体内面との間の所定の部位、即ち図２，図３の符号Ａ，Ｂで示す部位に若干の隙間空間を形成している。
【００４６】
この隙間空間Ａ，Ｂは、衝撃吸収部材の素材によって決まる弾性力や剪断方向の衝撃吸収力や、光学筐体４の重量や、カメラ１自体の重量や、衝撃等による加わる外力の力量等等、様々な要因によって設定される。
【００４７】
一方、カメラ本体の内部において、上記光学筐体４の配置されている部位に隣接する位置、即ち本実施形態においては、図２，図３に示すように光学筐体４の背面側から見て右隣の部位には、閃光発光用の円筒形状からなるメインコンデンサ７が配設されている。
【００４８】
さらに、このメインコンデンサ７に隣接する部位（右隣り）であって、カメラ本体内において背面寄りの部位には、硬質の平面形状からなるメイン基板８が配設されている。このメイン基板８は、背面カバー部材３の内面に沿う平面に平行となるように、背面カバー部材３の内面から若干の隙間を置いて、カメラ本体側の固定部に対して固設されている。そして、このメイン基板８の背面側の面上には、接続コネクタ８ａ，８ｂが、そのコネクタ開口を光学筐体４，メインコンデンサ７等が配置されている側に向けて、本カメラ１の上下方向に所定の間隔をおいて並べて実装されている。
【００４９】
接続コネクタ８ａ，８ｂのそれぞれには、光学筐体４から延出するフレキシブルプリント基板６ａ，６ｂの先端側端子部（図５の符号６ｂａ等を参照）がそれぞれ嵌合するようになっている。
【００５０】
ここで、本実施形態のカメラ１におけるフレキシブルプリント基板６ａ，６ｂを含む光学筐体４と、メインコンデンサ７と、メイン基板８とのカメラ本体内部における位置関係、及びフレキシブルプリント基板６ａ，６ｂの他の構成部材に対する相対的な配置について、さらに詳述する。
【００５１】
フレキシブルプリント基板６ａ，６ｂは、光学筐体４の前面側から第２の光軸Ｏ２に対して直交する方向であってメインコンデンサ７の配置されている側に向けて固定部から連設部が延出され、この連設部（図５の符号６ｂｃ等参照）が図４に示すようにメインコンデンサ７の外周面に沿わせて配置され、先端端子部（図５の符号６ｂａ等参照）がメイン基板８の接続コネクタ８ａ，８ｂに挿入され嵌合している。
【００５２】
つまり、フレキシブルプリント基板６ａ，６ｂは、前面固定部（図４，図５の符号６ｂｂ参照）が光学筐体４の前面側に固定配置されている。この前面固定部（６ｂｂ等）に連設する連設部（図４，図５の符号６ｂｃ参照）は、光学筐体４の一側面とメインコンデンサ７との隙間空間において、メインコンデンサ７の外周面に沿わせて配置されている。こうして、本カメラ本体の前面側から背面側に回り込むように配置された連設部（６ｂｃ等）は、さらに、メインコンデンサ７の外周面に沿わせて、カメラ本体の背面と平行方向であってメイン基板８が配置されている側に向けて配置されている。そして、フレキシブルプリント基板６ａ，６ｂの先端端子部（６ｂａ等）がメイン基板８の接続コネクタ８ａ，８ｂに接続されている。これによりフレキシブルプリント基板６ａ，６ｂは、光学筐体４とメイン基板８の接続コネクタ８ａ，８ｂとの間を電気的に接続している。
【００５３】
この場合において、フレキシブルプリント基板６ａ，６ｂは、光学筐体４が第２の光軸Ｏ２に沿う方向に移動したときにも、フレキシブルプリント基板の少なくとも四分の一以上の領域がメインコンデンサ７の外周面に沿うように配設されている。
【００５４】
また、上述したように、フレキシブルプリント基板６ａ，６ｂは、光学筐体４の一側面とメインコンデンサ７の外周面に沿わせて配置されているわけであるが、このとき、フレキシブルプリント基板６ａ，６ｂは、図４に示す符号６ｘ，６ｙの二箇所において、自身の可撓性により、その断面がＲ形状となるように曲折する形態となっている。
【００５５】
そこで、本カメラ１においては、フレキシブルプリント基板６ａ，６ｂの二つの曲折部６ｘ，６ｙのうちの一方の曲折部６ｘに対向する光学筐体４の角部を切欠形状又はＲ形状に形成している。これにより、フレキシブルプリント基板６ａ，６ｂを光学筐体４の一側面に沿わせて配置したとき、このフレキシブルプリント基板６ａ，６ｂの曲折部６ｘが光学筐体４の角部近傍に点接触しないようになっている。さらに、フレキシブルプリント基板６ａ，６ｂが自身の可撓性によって曲折したとき、その曲折部６ｘの内側部分と光学筐体４の角部との間には隙間空間１０ａが形成されるようになっている。
【００５６】
一方、フレキシブルプリント基板６ａ，６ｂの曲折部６ｙは、円筒形状に形成されるメインコンデンサ７の外周面に沿わせて配置されている。これにより、フレキシブルプリント基板６ａ，６ｂの曲折部６ｙの内側部位は、メインコンデンサ７自身の円筒形状に沿って面接触するようになっている。さらに、メインコンデンサ７が円筒形状であることから、フレキシブルプリント基板６ａ，６ｂをメインコンデンサ７の外周面に沿わせて配置したとき、フレキシブルプリント基板６ａ，６ｂの曲折部６ｙの外側部位には、空間１０ｂが形成されている。
【００５７】
この場合において、メインコンデンサ７の近傍に空間１０ｂが形成されること及び外周面にフレキシブルプリント基板（６ａ，６ｂ）がストレス無く配置される状態を確保するために、上記メインコンデンサ７は円筒形状に形成されているのである。そのために、メインコンデンサ７の直径は、例えば直径８ｍｍ（φ８）以上とするのが望ましい。
【００５８】
このような構成からなる本実施形態のカメラ１においては、その使用時等に落下等に起因して外部からの衝撃力が加わると、可動ユニットである光学筐体４が所定の方向、即ち第２の光軸Ｏ２に沿う方向に所定の範囲で移動する。
【００５９】
こうして光学筐体４が第２の光軸Ｏ２に沿う方向に移動すると、これに伴って、フレキシブルプリント基板６ａ，６ｂも同方向に移動する。上述したように、フレキシブルプリント基板６ａ，６ｂは、一方の端部である前面固定部（６ｂｂ等）が光学筐体４の前面部に固定され、この固定部に連設する連設部が第２の光軸Ｏ２に略直交する方向に延出されており、その先端端子部が、カメラ本体内に固定されるメイン基板８上の接続コネクタ８ａ，８ｂに接続固定されている。したがって、フレキシブルプリント基板６ａ，６ｂの固定部側が光学筐体４と共に第２の光軸Ｏ２に沿う方向に移動したとき、接続コネクタ８ａ，８ｂ側の先端接続部は固定された状態が維持されているので、例えばフレキシブルプリント基板６ａ，６ｂの連設部には捩じれが生じることになる。
【００６０】
このとき、本実施形態のカメラ１においては、フレキシブルプリント基板６ａ，６ｂは、その連設部が他の構成部材、即ち光学筐体４及びメインコンデンサ７に沿わせて配置されており、このうち、曲折部６ｘ，６ｙの近傍においては、それぞれに対応する空間１０ａ，１０ｂが形成されている。このことから、フレキシブルプリント基板６ａ，６ｂの連設部に捩じれが生じたとしても、その捩じれは、上記空間１０ａ，１０ｂによって許容されることになっている。つまり、空間１０ａ，１０ｂが確保されていることによって、フレキシブルプリント基板６ａ，６ｂが光学筐体４と共に衝撃力によって所定方向（第２の光軸に沿う方向）に移動したとき、フレキシブルプリント基板６ａ，６ｂが捻じれても、他の構成部材に接触することない。
【００６１】
したがって、フレキシブルプリント基板６ａ，６ｂの移動に伴って生じる捩じれは、空間１０ａ，１０ｂに許容されることから、フレキシブルプリント基板６ａ，６ｂにかかる負荷が軽減される。
【００６２】
以上説明したように上記一実施形態によれば、耐衝撃性を考慮して筐体内で可動構成とした鏡枠ユニットを有するデジタルカメラにおいて、光学筐体４（可動ユニット）と、この光学筐体４から延出されるフレキシブルプリント基板６ａ，６ｂと、メインコンデンサ７，メイン基板８（他の内部構成部材）等の各配置を工夫することにより、カメラ１に外力が加わったときの衝撃力で、光学筐体４と共にフレキシブルプリント基板６ａ，６ｂが移動しても、このフレキシブルプリント基板６ａ，６ｂに生じる捻じれを吸収することのできる構成としたので、外力による衝撃力が加わっても、フレキシブルプリント基板６ａ，６ｂに不要な負荷ががかからないような構成を実現することができる。よって、簡単な構成で、カメラ１の小型化を阻害することなく、より耐衝撃性に優れたデジタルカメラを提供することができる。
【００６３】
ところで、上述の一実施形態のカメラにおけるフレキシブルプリント基板については、図６に示すような変形例も考えられる。
【００６４】
図６は、上記一実施形態のカメラにおいて、可動ユニットである光学筐体４から延出されるフレキシブルプリント基板についての変形例を示す図であって、その概略形状を示す外観斜視図である。
【００６５】
図６に示す変形例におけるフレキシブルプリント基板６Ａｂは、上述の一実施形態のカメラ１におけるフレキシブルプリント基板６ｂと略同様の形態からなるものであるが、本変形例のフレキシブルプリント基板６Ａｂは、その連設部に複数の切り込み状のスリット部６Ａｂｅを設けて形成している点が異なる。
【００６６】
このスリット部６Ａｂｅは、フレキシブルプリント基板６Ａｂをカメラ本体内に配設したときに、光学筐体４の一側面からメインコンデンサ７の外周面上に配置されるべき連設部の所定の領域において少なくとも曲折部６ｘ，６ｙを含む領域に形成されている。そして、スリット部６Ａｂは、上記フレキシブルプリント基板６Ａｂの延出方向に対して略直交する方向に複数並べて形成される。
【００６７】
このような形態のフレキシブルプリント基板６Ａｂを適用した場合には、カメラ１に対して外部からの衝撃力が加わって光学筐体４が第２の光軸Ｏ２に沿う方向に移動したときに、フレキシブルプリント基板６Ａｂの屈曲部に生じる捻じれは、上記スリット部６Ａｂｅによって多少とも吸収されることになる。したがって、フレキシブルプリント基板６Ａｂの全体としての捩じれを押えることができ、よってフレキシブルプリント基板６Ａｂにかかる負荷をさらに抑えることができる。
【００６８】
また、上述の一実施形態のカメラにおいては、フレキシブルプリント基板をメインコンデンサの外周面に沿わせて配置するようにしている。この場合において、メインコンデンサの形状については、円筒形状としているが、図７に示すような形状としてもよい。
【００６９】
図７は、上記一実施形態のカメラにおいて、フレキシブルプリント基板を沿わせて配置する他の構成部材としてのメインコンデンサの変形例を示す図であって、その概略形状を示す外観斜視図である。
【００７０】
図７に示す変形例におけるメインコンデンサ７Ａは、フレキシブルプリント基板を沿わせて配置する部位に、ガイド溝７Ａａ，７Ａｂを設けて構成したものである。このガイド溝７Ａａ，７Ａｂは、フレキシブルプリント基板自体の幅寸法と、外部からの衝撃力が加わって光学筐体と共に第２の光軸に沿う方向に移動するフレキシブルプリント基板の移動寸法を二倍した寸法とを足し合せた幅寸法以上となるように設定される。
【００７１】
このような構成とすることで、メインコンデンサ７Ａの外周面に沿わせたフレキシブルプリント基板が衝撃力によって光学筐体と共に、第２の光軸に沿う方向、即ちメインコンデンサ７Ａの軸方向と同方向に移動したとき、このフレキシブルプリント基板は、ガイド溝７Ａａ，７Ａｂによって所定の範囲で位置規制されているので、フレキシブルプリント基板が所定方向に移動することでメインコンデンサ７Ａの外周面上から外れてしまうようなことがない。したがって、例えば、メインコンデンサ７Ａのエッジ部にフレキシブルプリント基板の表面が移動の都度、擦れたり引っ掛かってしまうようなことがなく、よって、光学筐体及びフレキシブルプリント基板のスムーズな可動状態を常に確保することができる。
【００７２】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００７３】
【図１】本発明の一実施形態のデジタルカメラの正面側の外観を示す斜視図。
【図２】図１のデジタルカメラの背面図。
【図３】図１のデジタルカメラの内部構成部材の配置を示し、本デジタルカメラの背面カバーを取り去った状態の背面図のうちの一部を拡大して示す要部拡大背面図。
【図４】図３の［４］−［４］線に沿う断面を示す要部拡大断面図。
【図５】図１のデジタルカメラにおける可動ユニット（光学筐体）から延出される二つのフレキシブルプリント基板のうちの一方を取り出して示す斜視図。
【図６】本発明の一実施形態のカメラにおいて、可動ユニットである光学筐体から延出されるフレキシブルプリント基板についての変形例の概略形状を示す外観斜視図。
【図７】本発明の一実施形態のカメラにおいて、フレキシブルプリント基板を沿わせて配置する他の構成部材としてのメインコンデンサの変形例の概略形状を示す外観斜視図。
【符号の説明】
【００７４】
１……カメラ
２……前面カバー部材
３……背面カバー部材
４……光学筐体
５……撮像素子
６，６ａ，６ｂ，６Ａｂ……フレキシブルプリント基板
６ｂａ……先端端子部
６ｂｂ……前面固定部
６ｂｃ……連設部
６ｂｄ……底面固定部
６ｘ，６ｙ……曲折部
６Ａｂｅ……スリット部
７，７Ａ……メインコンデンサ
７Ａａ，７Ａｂ……ガイド溝
８……メイン基板
８ａ，８ｂ……接続コネクタ
１０ａ，１０ｂ……空間
【図１】
2009210729.tif 000003
【図２】
2009210729.tif 000004
【図３】
2009210729.tif 000005
【図４】
2009210729.tif 000006
【図５】
2009210729.tif 000007
【図６】
2009210729.tif 000008
【図７】
2009210729.tif 000009